(57)【特許請求の範囲】
【請求項１】
ホールド型画像表示用の画像処理システムにおいて、
画像を構成する所定の複数の対象画素の動きを把握する動き把握手段と、
当該動き把握手段によって把握された前記対象画素の動きを示す情報に基づき、前記対象画素の動きベクトルの分散値を求める動き演算手段と、
当該動き演算手段によって求められた前記分散値が所定値未満かどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段と、
前記対象画素の近隣画素の輝度を検出する輝度検出手段と、
当該輝度検出手段によって検出された近隣画素の輝度の平均値および分散値を、前記対象画素ごとに求める輝度演算手段と、
を含み、
前記判定手段は、当該輝度演算手段によって求められた前記対象画素ごとの輝度の平均値が所定値未満、かつ、前記対象画素ごとの輝度の分散値が所定値以上かどうかを判定する第２の判定処理を行い、
前記エッジ強調処理手段は、前記第１の判定処理結果が真であり、かつ、前記第２の判定処理結果が真である場合には、前記第１の判定処理結果が偽である場合、あるいは、前記第２の判定処理結果が偽である場合と比べてエッジ強度を相対的に高めて画像全体に対してエッジ強調を行うことを特徴とする画像処理システム。
【請求項２】
ホールド型画像表示用の画像処理システムにおいて、
画像を構成する所定の複数の対象画素の動きを把握する動き把握手段と、
当該動き把握手段によって把握された前記対象画素の動き量を示す値と、前記対象画素の動き方向を示す値とを求める動き演算手段と、
前記複数の対象画素の動き量を示す値の差異と、前記複数の対象画素の動き方向を示す値の差異とが所定の範囲内にあるかどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段と、
前記対象画素の近隣画素の輝度を検出する輝度検出手段と、
当該輝度検出手段によって検出された近隣画素の輝度の平均値および分散値を、前記対象画素ごとに求める輝度演算手段と、
を含み、
前記判定手段は、当該輝度演算手段によって求められた前記対象画素ごとの輝度の平均値が所定値未満、かつ、前記対象画素ごとの輝度の分散値が所定値以上かどうかを判定する第２の判定処理を行い、
前記エッジ強調処理手段は、前記第１の判定処理結果が真であり、かつ、前記第２の判定処理結果が真である場合には、前記第１の判定処理結果が偽である場合、あるいは、前記第２の判定処理結果が偽である場合と比べてエッジ強度を相対的に高めて画像全体に対してエッジ強調を行うことを特徴とする画像処理システム。
【請求項３】
請求項１、２のいずれかの画像処理システムを有することを特徴とする画像表示装置。
【請求項４】
ホールド型画像表示用のプログラムであり、コンピュータにより読み取り可能なプログラムであって、
画像を構成する所定の複数の対象画素の動きを把握する動き把握手段と、
当該動き把握手段によって把握された前記対象画素の動きを示す情報に基づき、前記対象画素の動きベクトルの分散値を求める動き演算手段と、
当該動き演算手段によって求められた前記分散値が所定値未満かどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段と、
前記対象画素の近隣画素の輝度を検出する輝度検出手段と、
当該輝度検出手段によって検出された近隣画素の輝度の平均値および分散値を、前記対象画素ごとに求める輝度演算手段としてコンピュータを機能させ、
前記判定手段は、当該輝度演算手段によって求められた前記対象画素ごとの輝度の平均値が所定値未満、かつ、前記対象画素ごとの輝度の分散値が所定値以上かどうかを判定する第２の判定処理を行い、
前記エッジ強調処理手段は、前記第１の判定処理結果が真であり、かつ、前記第２の判定処理結果が真である場合には、前記第１の判定処理結果が偽である場合、あるいは、前記第２の判定処理結果が偽である場合と比べてエッジ強度を相対的に高めて画像全体に対してエッジ強調を行うことを特徴とするプログラム。
【請求項５】
ホールド型画像表示用のプログラムであり、コンピュータにより読み取り可能なプログラムであって、
画像を構成する所定の複数の対象画素の動きを把握する動き把握手段と、
当該動き把握手段によって把握された前記対象画素の動き量を示す値と、前記対象画素の動き方向を示す値とを求める動き演算手段と、
前記複数の対象画素の動き量を示す値の差異と、前記複数の対象画素の動き方向を示す値の差異とが所定の範囲内にあるかどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段と、
前記対象画素の近隣画素の輝度を検出する輝度検出手段と、
当該輝度検出手段によって検出された近隣画素の輝度の平均値および分散値を、前記対象画素ごとに求める輝度演算手段としてコンピュータを機能させ、
前記判定手段は、当該輝度演算手段によって求められた前記対象画素ごとの輝度の平均値が所定値未満、かつ、前記対象画素ごとの輝度の分散値が所定値以上かどうかを判定する第２の判定処理を行い、
前記エッジ強調処理手段は、前記第１の判定処理結果が真であり、かつ、前記第２の判定処理結果が真である場合には、前記第１の判定処理結果が偽である場合、あるいは、前記第２の判定処理結果が偽である場合と比べてエッジ強度を相対的に高めて画像全体に対してエッジ強調を行うことを特徴とするプログラム。
【請求項６】
コンピュータにより読み取り可能な情報記憶媒体であって、
請求項４、５のいずれかのプログラムを記憶したことを特徴とする情報記憶媒体。
【発明の詳細な説明】
【０００１】
【発明の属する技術分野】
本発明は、エッジ強調処理に用いられる画像処理システム、画像表示装置、プログラムおよび情報記憶媒体に関する。
【０００２】
【背景技術および発明が解決しようとする課題】
液晶表示装置等のいわゆるホールド型ディスプレイでは、各フィールドの表示光は、１フィールド間ほぼ一定の輝度に保たれる。
【０００３】
しかし、このホールド型特有の表示方式が原因で、動画表示の際に当該動画像を見ている者は、いわゆる動きぼけ（blur）を感じてしまう。
【０００４】
このような問題に対して、例えば、特開平７−１９９８５６号公報では、画像の中の運動要素の空間周波数を、当該要素の速度に応じてエッジ強調する手法が提示されている。
【０００５】
しかし、このような手法でエッジ強調処理を行った場合、動き速度に応じて局所的にエッジ強調の度合いを変えるため、動き速度の異なる画像領域の境界、特に、動きのある画像領域とそうでない画像領域との境界が不自然に見えてしまう。
【０００６】
本発明は、上記課題に鑑みなされたものであり、その目的は、エッジ強調処理を行う場合に、動きぼけを適切に防止することの可能な画像処理システム、画像表示装置、プログラムおよび情報記憶媒体を提供することにある。
【０００７】
【課題を解決するための手段】
上記課題を解決するため、本発明に係る画像処理システムは、ホールド型画像表示用の画像処理システムにおいて、
画像を構成する所定の複数の対象画素の動きを把握する動き把握手段と、
当該動き把握手段によって把握された前記対象画素の動きを示す情報に基づき、前記対象画素の動きベクトルの分散値を求める動き演算手段と、
当該動き演算手段によって求められた前記分散値が所定値未満かどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段と、
を含むことを特徴とする。
【０００８】
また、本発明に係る画像表示装置は、前記画像処理システムを有することを特徴とする。
【０００９】
また、本発明に係るプログラムは、ホールド型画像表示用のプログラムであり、コンピュータにより読み取り可能なプログラムであって、
画像を構成する所定の複数の対象画素の動きを把握する動き把握手段と、
当該動き把握手段によって把握された前記対象画素の動きを示す情報に基づき、前記対象画素の動きベクトルの分散値を求める動き演算手段と、
当該動き演算手段によって求められた前記分散値が所定値未満かどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段としてコンピュータを機能させることを特徴とする。
【００１０】
また、本発明に係る情報記憶媒体は、コンピュータにより使用可能な情報記憶媒体であって、上記手段としてコンピュータを機能させるためのプログラムを記憶したことを特徴とする。
【００１１】
本発明によれば、対象画素の動きベクトルの分散値が小さい場合に、エッジ強調処理を行うことにより、画像を構成する複数の画素が一様に動いている場合にのみ、エッジ強調処理を行うことができる。
【００１２】
複数の画素が一様に動いている場合にのみ画像全体に対してエッジ強度の高いエッジ強調処理を行うことにより、動いている領域と動いていない領域との境界が不自然となる事態の発生を防止できるため、動きぼけを適切に防止することができる。
【００１３】
また、本発明に係る画像処理システムは、ホールド型画像表示用の画像処理システムにおいて、
画像を構成する所定の複数の対象画素の動きを把握する動き把握手段と、
当該動き把握手段によって把握された前記対象画素の動き量を示す値と、前記対象画素の動き方向を示す値とを求める動き演算手段と、
前記複数の対象画素の動き量を示す値の差異と、前記複数の対象画素の動き方向を示す値の差異とが所定の範囲内にあるかどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段と、
を含むことを特徴とする。
【００１４】
また、本発明に係る画像表示装置は、前記画像処理システムを有することを特徴とする。
【００１５】
また、本発明に係るプログラムは、ホールド型画像表示用のプログラムであり、コンピュータにより読み取り可能なプログラムであって、
画像を構成する所定の複数の対象画素の動きを把握する動き把握手段と、
当該動き把握手段によって把握された前記対象画素の動き量を示す値と、前記対象画素の動き方向を示す値とを求める動き演算手段と、
前記複数の対象画素の動き量を示す値の差異と、前記複数の対象画素の動き方向を示す値の差異とが所定の範囲内にあるかどうかを判定する第１の判定処理を行う判定手段と、
前記第１の判定処理結果が真である場合には前記第１の判定処理結果が偽である場合と比べてエッジ強度を相対的に高めて画像全体に対してエッジ強調を行うエッジ強調処理手段としてコンピュータを機能させることを特徴とする。
【００１６】
また、本発明に係る情報記憶媒体は、コンピュータにより使用可能な情報記憶媒体であって、上記手段としてコンピュータを機能させるためのプログラムを記憶したことを特徴とする。
【００１７】
本発明によれば、複数の対象画素の動きの方向と大きさがほぼ同じである場合に、エッジ強調処理を行うことにより、画像を構成する複数の画素が一様に動いている場合にのみ、エッジ強調処理を行うことができる。
【００１８】
複数の画素が一様に動いている場合にのみ画像全体に対してエッジ強度の高いエッジ強調処理を行うことにより、動いている領域と動いていない領域との境界が不自然となる事態の発生を防止できるため、動きぼけを適切に防止することができる。
【００１９】
また、前記画像処理システムおよび前記画像表示装置は、前記対象画素の近隣画素の輝度を検出する輝度検出手段と、
当該輝度検出手段によって検出された近隣画素の輝度の平均値および分散値を、前記対象画素ごとに求める輝度演算手段と、
を含み、
前記判定手段は、当該輝度演算手段によって求められた前記対象画素ごとの輝度の平均値が所定値未満、かつ、前記対象画素ごとの輝度の分散値が所定値以上かどうかを判定する第２の判定処理を行い、
前記エッジ強調処理手段は、前記第１の判定処理結果が真であり、かつ、前記第２の判定処理結果が真である場合には、前記第１の判定処理結果が偽である場合、あるいは、前記第２の判定処理結果が偽である場合と比べてエッジ強度を相対的に高めて画像全体に対してエッジ強調を行ってもよい。
【００２０】
また、前記プログラム（または前記情報記憶媒体）は、前記対象画素の近隣画素の輝度を検出する輝度検出手段と、
当該輝度検出手段によって検出された近隣画素の輝度の平均値および分散値を、前記対象画素ごとに求める輝度演算手段としてコンピュータを機能させ（またはコンピュータを機能させるためのプログラムを記憶し）、
前記判定手段は、当該輝度演算手段によって求められた前記対象画素ごとの輝度の平均値が所定値未満、かつ、前記対象画素ごとの輝度の分散値が所定値以上かどうかを判定する第２の判定処理を行い、
前記エッジ強調処理手段は、前記第１の判定処理結果が真であり、かつ、前記第２の判定処理結果が真である場合には、前記第１の判定処理結果が偽である場合、あるいは、前記第２の判定処理結果が偽である場合と比べてエッジ強度を相対的に高めて画像全体に対してエッジ強調を行ってもよい。
【００２１】
これによれば、対象画素周辺の輝度の平均値が大きく、かつ、分散値が小さい場合には、エッジ強調処理を行わない処理を行うことができる。これにより、動きベクトルの検出精度が低下する輝度が一様な画像において、動きがないにも関わらず誤ってエッジ強調を行うことを防止することができる。
【００２２】
【発明の実施の形態】
以下、本発明を、画像表示装置の一種である液晶プロジェクタを用いた画像処理システムに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２３】
（システム全体の説明）
エッジ強調処理を行う場合に、動きぼけを適切に防止するために、本発明を、ホールド型画像表示を行う液晶プロジェクタの画像処理部に適用した場合の画像処理部の機能ブロックについて説明する。
【００２４】
なお、ホールド型画像表示とは、（１）表示単位（画素）のそれぞれが、各々の画像信号（輝度信号）を１フィールド（または１フレーム）期間保持し、この保持された画像信号（輝度信号）に基づいて光を射出または変調すること、あるいは、（２）１つの表示単位（画素）が、少なくとも１フィールド（または１フレーム）期間、同じ画像信号（輝度信号）に基づいて光を射出または変調すること、を意味する。
【００２５】
図１は、本実施形態の一例に係る液晶プロジェクタ内の画像処理部の機能ブロック図である。
【００２６】
画像処理部は、１フレーム分の画像データを入力する画像データ入力部１０と、入力された画像データにおける所定の複数の対象画素の動きを把握する動き把握手段として機能する動き検出部２０と、動き検出部２０によって把握された対象画素の動きを示す情報に基づき、対象画素の動きベクトルの分散値を求める動き演算部４０とを含んで構成されている。
【００２７】
また、画像処理部は、画像データ入力部１０からの画像データに基づき、対象画素の近隣画素の輝度を検出する輝度検出部３０と、輝度検出部３０によって検出された近隣画素の輝度の平均値および分散値を、画像を構成する所定の複数の対象画素ごとに求める輝度演算部５０とを含んで構成されている。
【００２８】
さらに、画像処理部は、動き演算部４０によって求められた分散値が所定値未満かどうかを判定する第１の判定処理と、輝度演算部５０によって求められた輝度の平均値が所定値未満、かつ、輝度演算部５０によって求められた分散値が所定値以上かどうかを判定する第２の判定処理を行う判定部６０と、判定部６０による第１および第２の判定処理結果が真の場合に、偽の場合と比べてエッジ強度を相対的に高めて画像全体に対してエッジ強調を行うエッジ強調処理部７０と、当該エッジ強調処理後の画像データを出力する画像データ出力部８０とを含んで構成されている。
【００２９】
このように、対象画素の動きベクトルの分散値が小さい場合に、エッジ強度の高いエッジ強調処理を行うことにより、画像を構成する複数の画素が一様に動いている場合にのみ、エッジ強度の高いエッジ強調処理を行うことができる。
【００３０】
このように、複数の画素が一様に動いている場合にのみエッジ強度の高いエッジ強調処理を行うことにより、動いている領域と動いていない領域との境界が不自然となる事態の発生を防止できるため、動きぼけを適切に防止することができる。
【００３１】
さらに、対象画素周辺の輝度の平均値が大きく、かつ、分散値が小さい場合には、エッジ強調処理を行わないか、ごく弱いエッジ強調処理を行う。これにより、動きベクトルの検出精度が低下する輝度が一様な画像において、動きがないにも関わらず誤って通常のエッジ強調を行うことを防止することができる。
【００３２】
ここで、上述した対象画素について説明する。
【００３３】
図２は、画像における対象画素を示す模式図である。
【００３４】
例えば、図２に示すように、１画像内に均等に１２個の対象画素を設定する。
【００３５】
動き検出部２０は、これらの１２個の対象画素のｘ方向およびｙ方向の動きベクトルを検出する。なお、動きベクトルの検出手法としては、例えば、ブロックパターンマッチング法等を用いることができる。
【００３６】
また、輝度検出部３０は、対象画素とその周囲の平均輝度を検出する。
【００３７】
（処理の流れの説明）
次に、上述した各部を用いた画像処理の流れについて説明する。
【００３８】
図３は、本実施形態の一例に係る画像処理の流れを示すフローチャートである。
【００３９】
まず、画像データ入力部１０は、１フレーム分の画像データを入力する。そして、動き検出部２０は、画像データ入力部１０からの画像データに基づき、図２に示す複数の対象画素のｘ方向およびｙ方向の動きベクトルを検出する（ステップＳ２）。
【００４０】
また、輝度検出部３０は、画像データ入力部１０からの画像データに基づき、対象画素およびその近隣画素の平均輝度を検出する（ステップＳ４）。
【００４１】
そして、動き演算部４０は、動き検出部２０によって求められたｘ方向およびｙ方向の動きベクトルの分散値を演算する。また、輝度演算部５０は、画像データ入力部１０によって求められた平均輝度の分散値を演算する。
【００４２】
そして、判定部６０は、動き演算部４０の演算結果に基づき、ｘ方向の動きベクトルの分散値が小さいかどうか（所定値未満かどうか）を判定し（ステップＳ６）、ｙ方向の動きベクトルの分散値が小さいかどうか（所定値未満かどうか）を判定し（ステップＳ８）、第１の判定処理を行う。
【００４３】
この第１の判定処理結果が真の場合、判定部６０は、さらに、輝度演算部５０による平均輝度の値が小さく（所定値未満）、かつ、分散値が大きいか（所定値以上）どうかを判定し、第２の判定処理を行う（ステップＳ１０）。
【００４４】
この第２の判定処理結果も真の場合、エッジ強調処理部７０は、エッジ強調処理時のゲインを高くし、画像全体に対してエッジ強度の高いエッジ強調が行われるようにエッジ強調処理を行う（ステップＳ１２）。
【００４５】
なお、ｘ方向の動きベクトルの分散値が小さいかどうかの判定（ステップＳ６）、ｙ方向の動きベクトルの分散値が小さいかどうかの判定（ステップＳ８）、平均輝度の値が小さく、かつ、分散値が大きいかどうかの判定（ステップＳ１０）の結果のいずれかが偽である場合には、エッジ強調処理部７０は、エッジ強調処理時のゲインを低くし、画像全体に対してエッジ強度の低いエッジ強調が行われるようにエッジ強調処理を行う（ステップＳ１４）。
【００４６】
そして、画像データ出力部８０は、エッジ強調処理部７０による画像処理後の画像データを出力する。これにより、液晶ライトバルブの制御等が行われ、液晶プロジェクタは画像を投写表示する。
【００４７】
これにより、エッジ強調処理を行ったほうがよい場合にのみエッジ強度の高い、すなわち、エッジがより強調された画像が投写表示される。
【００４８】
以上のように、本実施形態によれば、画像を構成する複数の画素が一様に動いている場合にのみエッジ強度の高いエッジ強調処理を行うことにより、動いている領域と動いていない領域との境界が不自然となる事態の発生を防止できるため、動きぼけを適切に防止することができる。
【００４９】
さらに、対象画素周辺の輝度の平均値が大きく、かつ、分散値が小さい場合には、エッジ強調処理を行わないか、通常よりも強度の弱いエッジ強調を行う。これにより、動きベクトルの検出精度が低下する輝度が一様な画像において、動きがないにも関わらず誤って通常のエッジ強調を行うことを防止することができる。
（ハードウェアの説明）
次に、液晶プロジェクタ内の画像処理部のハードウェアのブロック図について説明する。
【００５０】
図４は、本実施形態の一例に係る液晶プロジェクタ内の画像処理部のハードウェアのブロック図である。
【００５１】
図４に示す装置では、ＣＰＵ１０００、ＲＯＭ１００２、ＲＡＭ１００４、情報記憶媒体１００６、画像生成ＩＣ１０１０、Ｉ／Ｏ（入出力ポート）１０２０が、システムバス１０１６により相互にデータ送受信可能に接続されている。そして、Ｉ／Ｏ１０２０を介してＰＣ等の機器に接続されている。
【００５２】
図１に示す画像データ入力部１０および画像データ出力部８０の機能は、例えば、ＲＡＭ１００４を用いて実現でき、動き検出部２０、輝度検出部３０、動き演算部４０、輝度演算部５０、判定部６０およびエッジ強調処理部７０の機能は、例えば、ＣＰＵ１０００と画像生成ＩＣ１０１０とＲＡＭ１００４とを用いて実現できる。
【００５３】
なお、動き検出部２０や判定部６０等の機能を情報記憶媒体１００６からコンピュータにプログラムを読み取らせて実現することも可能である。
【００５４】
また、情報記憶媒体１００６としては、例えば、ＣＤ−ＲＯＭ、ＤＶＤ−ＲＯＭ、ＲＯＭ、ＲＡＭ等を適用でき、そのプログラムの読み取り方式は接触方式であっても、非接触方式であってもよい。
【００５５】
また、情報記憶媒体１００６に代えて、上述した各機能を実現するためのプログラムを、伝送路を介してホスト装置等からダウンロードすることによって上述した各機能を実現することも可能である。すなわち、上述した各機能を実現するためのプログラムは、搬送波に具現化される（embodied）ものであってもよい。
【００５６】
（変形例の説明）
なお、本発明の適用は上述した実施例に限定されず、各種の変形例に対して適用可能である。
【００５７】
例えば、画像処理の手法は、上述した手法に限定されず、種々の変形が可能である。
【００５８】
例えば、上述した動きベクトルを用いる動き検出部２０および動き演算部４０に代えて、対象画素の動きを把握する動き把握部と、動き把握部によって把握された対象画素の動き量を示す値と、前記対象画素の動き方向を示す値とを求める動き演算部とを設け、判定部６０を、上述した第１の判定処理に代えて複数の対象画素の動き量を示す値の差異と、複数の対象画素の動き方向を示す値の差異とが所定の範囲内にあるかどうかを判定するように機能させてもよい。
【００５９】
これによっても、対象画素の動きを把握し、画像全体が一様に動いている場合にのみエッジ強度の高いエッジ強調処理を行うことができる。
【００６０】
また、上述した動き検出部２０は、画像データ入力部１０からの画像データに基づき、図２に示す複数の対象画素のｘ方向およびｙ方向の動きベクトルを検出するものであったが、ｘ方向（画像の水平方向）のみ、あるいは、ｙ方向（画像の垂直方向）のみの動きベクトルを検出するものであってもよい。
【００６１】
なお、上述した第２の判定処理は必須ではなく、第１の判定処理だけを行ってもよい。
【００６２】
また、上述した実施例では、第１または第２の判定結果が偽である場合、エッジ強度の低いエッジ強調処理を行ったが、この場合、エッジ強度が０、すなわち、全くエッジ強調を行わなくてもよい。
【００６３】
また、図２に示す対象画素は１画像内に１２個で均等に位置するものであったが、対象画素を１１個以下や１３個以上としてもよく、対象画素は必ずしも均等に位置する画素でなくてもよい。
【００６４】
また、上述したホールド型表示方式を採用可能な画像表示装置としては、液晶プロジェクタだけではない。例えば、液晶プロジェクタ以外の画像表示装置等の有する画像処理システムにも本発明を適用できる。このような画像表示装置としては、例えば、直視型液晶表示装置、液晶ディスプレイ等の液晶表示装置以外にも、有機ＥＬ素子を用いた表示装置、ＤＭＤ（Digital Micromirror Device）を用いたプロジェクタ等の各種の画像表示装置が該当する。なお、ＤＭＤは米国テキサスインスツルメンツ社の商標である。また、プロジェクタは前面投写型のものに限られず、背面投写型のものであってもよい。
【００６５】
なお、上述した液晶プロジェクタの画像処理部の機能は、単体の画像表示装置（例えば、液晶プロジェクタ）で実現してもよいし、複数の処理装置で分散して（例えば、液晶プロジェクタとＰＣ（Personal Computer）とで分散処理）実現してもよい。
【図面の簡単な説明】
【図１】本実施形態の一例に係る液晶プロジェクタ内の画像処理部の機能ブロック図である。
【図２】画像における対象画素を示す模式図である。
【図３】本実施形態の一例に係る画像処理の流れを示すフローチャートである。
【図４】本実施形態の一例に係る液晶プロジェクタ内の画像処理部のハードウェアのブロック図である。
【符号の説明】
２０  動き検出部
３０  輝度検出部
４０  動き演算部
５０  輝度演算部
６０  判定部
７０  エッジ強調処理部
１００６  情報記憶媒体
【図１】
0003918909.tif 000002
【図２】
0003918909.tif 000003
【図３】
0003918909.tif 000004
【図４】
0003918909.tif 000005